(57)【要約】【課題】機械的構造はディスプレイポートの規格に準拠しつつクロストークノイズを低減させる。【解決手段】第１の配列面上に、あらかじめ定められたピッチで一列に配列された、差動信号送信用の２本の端子、１本のグランド端子、差動信号送信用の２本の端子、１本のグランド端子、各々が単独で使用される２本の端子、および差動信号送受信用（又は差動信号受信用）の２本の端子からなる１０本の端子を備え、第１の配列面と平行に広がる第２の配列面上に、上記ピッチと同一のピッチで、前記１０本の端子と比べ第２端側に位相を１８０°偏倚させて配列された、第１端側から順に、１本のグランド端子、差動信号送信用の２本の端子、１本のグランド端子、差動信号送信用の２本の端子、各々が単独で使用される２本の端子、１本のグランド端子、および１本の電源端子からなる１０本の端子を備えた。【選択図】図５
2015015253.tif 000002
【特許請求の範囲】
【請求項１】
第１の配列面上に、あらかじめ定められたピッチで一列に配列された、第１端から第２端に向かって順に、差動信号送信用の２本の端子、１本のグランド端子、差動信号送信用の２本の端子、１本のグランド端子、各々が単独で使用される２本の端子、および０．５ＧＨｚ以上の信号を受信する差動信号受信用の２本の端子からなる１０本の端子と、
前記第１の配列面と平行に広がる第２の配列面上に、前記ピッチと同一のピッチで、前記第１端から前記第２端に向かうとともに該第１端側から順に、１本のグランド端子、差動信号送信用の２本の端子、１本のグランド端子、差動信号送信用の２本の端子、各々が単独で使用される２本の端子、１本のグランド端子、および１本の電源端子からなる１０本の端子と、
を備えたことを特徴とする画像送信ポート。
【発明の詳細な説明】
【技術分野】
【０００１】
本発明は、画像送信ポートに関する。
【背景技術】
【０００２】
ディスプレイポートの規格に準拠した伝送方式により画像を伝送することが行なわれている（特許文献１，２参照）。
【先行技術文献】
【特許文献】
【０００３】
【特許文献１】特開２００８−１９３１６８号公報
【特許文献２】特開２０１２−０３７７５０号公報
【発明の概要】
【発明が解決しようとする課題】
【０００４】
本発明は、機械的構造は従来の規格に準拠しつつクロストークノイズを低減させることを目的とする。
【課題を解決するための手段】
【０００５】
請求項１は、第１の配列面上に、あらかじめ定められたピッチで一列に配列された、第１端から第２端に向かって順に、差動信号送信用の２本の端子、１本のグランド端子、差動信号送信用の２本の端子、１本のグランド端子、各々が単独で使用される２本の端子、および０．５ＧＨｚ以上の信号を受信する差動信号受信用の２本の端子からなる１０本の端子と、
前記第１の配列面と平行に広がる第２の配列面上に、前記ピッチと同一のピッチで、前記第１端から前記第２端に向かうとともに該第１端側から順に、１本のグランド端子、差動信号送信用の２本の端子、１本のグランド端子、差動信号送信用の２本の端子、各々が単独で使用される２本の端子、１本のグランド端子、および１本の電源端子からなる１０本の端子とを備えたことを特徴とする画像送信ポートである。
【発明の効果】
【０００６】
請求項１によれば、従来の規格に準拠した形状のコネクタやケーブルをそのまま使いつつ、クロストークノイズを低減させることができる。
【図面の簡単な説明】
【０００７】
【図１】画像伝送システムの一実施形態を含むプリントシステムの概要を示した図である。
【図２】ケーブルの端部に備えられたプラグの外観斜視図である。
【図３】図２に示すプラグが差し込まれる接続ポートを示した図である。
【図４】ディスプレイポートの規格に準拠した、画像送信側の接続ポートのピン配置を示した図である。
【図５】本発明の一実施形態としての画像送信ポートのピン配置を示した図である。
【図６】図４、表１に示す比較例における、差動信号送信又は差動信号受信用のペアのピンと、補助ピンとの間の距離を示した図である。
【図７】図５、表２に示す本実施形態における図６と同様な図である。
【図８】各周波数（ＧＨｚ）の差動信号に対する、各距離Ａ，Ｃ，Ｄにある補助ピンに混入するクロストークノイズのパワーの測定結果を示した図である。
【図９】図１に示すプリンタに備えられた画像受信ポートのピン配置を示した図である。
【発明を実施するための形態】
【０００８】
以下、本発明の実施の形態を説明する。
【０００９】
図１は、本発明の画像伝送システムの一実施形態を含むプリントシステムの概要を示した図である。
【００１０】
ここには画像生成用のコンピュータ１０と、画像をプリント出力するプリンタ２０と、それらコンピュータ１０とプリンタ２０との間を接続するケーブル３０とが示されている。
【００１１】
コンピュータ１０ではデータ上で画像が構築され、その構築された画像データがケーブル３０を経由してプリンタ２０に送信される。プリンタ２０はその送信されてきた画像データを受信してその画像データに基づく画像をプリント出力する。
【００１２】
図２は、ケーブルの端部に備えられたプラグの外観斜視図である。
【００１３】
図１に示すケーブル３０の両端部には、この図２に示す形状のプラグ３１が備えられている。このプラグ３１の機械的形状や寸法は、ディスプレイポート（ＤｉｓｐｌａｙＰｏｒｔ）の規格に準拠したものである。ディスプレイポート（ＤｉｓｐｌａｙＰｏｒｔ）は、液晶ディスプレイなどのデジタル・ディスプレイ装置向けに定められた画像伝送インタフェース規格である。
【００１４】
図３は、図２に示すプラグが差し込まれる接続ポートを示した図である。
【００１５】
この図３中、数字の１〜２０は、ピン番号を表わしている。
【００１６】
ここで、この接続ポート４０には、基板４１が備えられており、この基板４１の表面である第１の配列面４１１には奇数番号のピン４２ｏが第１端（図３の右側の端）から第２端（図３の左側の端）に向かって１列に、あらかじめ定められたピッチで配列されている。また、この基板４１の裏面である第２の配列面４１２は、第１の配列面４１１との間に基板４１の厚み分だけの間隔を空けて第１の配列面４１１と平行に広がっており、この第２の配列面４１２には、偶数番号のピン４２ｅが、奇数番号のピン４２ｏと同様に第１端（図３の右側の端）から第２端（図３の左側の端）に向かって、奇数番号のピン４２ｏの配列ピッチと同一のピッチで配列されている。ただし、これら偶数番号のピン４２ｅは、奇数番号のピン４２ｏと比べ、第２端（図３の左側の端）側に位相を１８０°偏倚させて配列されている。
【００１７】
この図３に示す接続ポート４０は、図１に示すコンピュータ１０とプリンタ２０の双方に備えられており、その形状はコンピュータ１０とプリンタ２０の双方で共通である。ただし、コンピュータ１０の接続ポートは画像送信を担っており、ここではコンピュータ１０側の接続ポートを画像送信ポートと称する。
【００１８】
これに対し、プリンタ２０の接続ポートは画像の受信を担っており、ここではプリンタ２０側の接続ポートを画像受信ポートと称する。
【００１９】
図４は、ディスプレイポートの規格に準拠した、画像送信側の接続ポートのピン配置を示した図である。この図４に示すピン配置は、本発明に対する比較例に相当する。
【００２０】
以下の表１は、図４に示したピン配置の一覧表である。
【００２１】
【表１】
2015015253.tif 000003
【００２２】
ここで、送信１＋と送信１−、送信２＋と送信２−、送信３＋と送信３−、および送信４＋と送信４−は、それぞれペアとなってコンピュータ１０からプリンタ２０に向かって差動信号を送信する役割を担っているピンである。またＧＮＤは接地用のピンである。送受信＋と送受信−は、主には、ペアとなってプリンタ２０からコンピュータ１０に向けて送信されてきた差動信号を受信する役割を担っている。ただし、これら送受信＋と送受信−は、コンピュータ１０からプリンタ２０に向けの差動信号の送信を担わせることもできるピンである。またＶｃｃは電源ピンである。機能の欄に補助ピンと記載されているピンは、差動信号伝送用とは異なり、低速信号あるいは電圧やレベルの伝達等、１つずつがそれぞれ単独で役割を担っているピンである。
【００２３】
このディスプレイポートの規格では、送信ｎ＋と送信ｎ−（ｎ＝１〜４）のピンを使って最大２．７６Ｇｂｐｓ（１．３８ＧＨｚ）の作動信号を送信することができる。送受信＋と送受信−は、それよりも遅い、最大１Ｍｂｐｓ（０．５ＧＨｚ）の信号を送受信する規格となっている。
【００２４】
ところが近年では、さらに高精細な画像が要求され高速な画像送信が必要となってきている。この場合、プリンタ２０からコンピュータ１０に送信すべき情報量も増大する。ここでは、これを考慮し、送受信双方とも、例えば最大４．２５Ｇｂｐｓ（２．１２５ＧＨｚ）の差動信号を取り扱うものとする。この程度に信号が高速になると、放射ノイズが増える。この放射ノイズは、差動モードでは抑えられるが、単線へのクロストークで問題となる。すなわち、差動モード（差動信号）では互いの影響が相殺されて放射ノイズの影響が抑えられるが、補助ピン（単線）の場合は差動信号の場合のような相殺が作用せずに放射ノイズの影響がダイレクトに出てしまうことになる。この問題は、上記のように信号速度が上がり、さらにケーブル長が長くなって、それに応じて信号強度を上げる必要があるときには特に顕著となる。
【００２５】
以上のピン配置の問題点を踏まえ、次に本発明の一実施形態としてのピン配置について説明する。
【００２６】
図５は、本発明の一実施形態としての画像送信ポートのピン配置を示した図である。
【００２７】
また、以下の表２は、図５に示したピン配置の一覧表である。
【００２８】
【表２】
2015015253.tif 000004
【００２９】
この表２を比較例の表１と対比すると、ピン番号１〜１４は互いに同一である。ピン番号１５以降のピンの機能が異なっている。すなわち、この表２のピン配置は、図３に示す接続ポートの、奇数番号のピンが配列された第１の配列面４１１には、第１端（右側）から第２端（左側）に向かって順に、差動信号送信用の２本の端子（送信１＋と送信１−）、１本のグランド端子（ＧＮＤ）、差動信号送信用の２本の端子（送信３＋と送信３−）、１本のグランド端子（ＧＮＤ）、各々が単独で使用される２本の端子（２本の補助ピン）、および差動信号送受信用の２本の端子（送受信＋と送受信−）が配列されている。ただし、送受信＋と送受信−については、これらの端子に代えて、差動信号の受信のみを担う端子（受信＋と受信−）を備えてもよい。
【００３０】
また、偶数番号のピンが配列された、第２の配列面４１２には、第１端（右側）から第２端（左側）に向かって順に、１本のグランド端子（ＧＮＤ）、差動信号送信用の２本の端子（送信２＋と送信２−）、１本のグランド端子（ＧＮＤ）、差動信号送信用の２本の端子（送信４＋と送信４−）、各々が単独で使用される２本の端子（２本の補助ピン）、１本のグランド端子（ＧＮＤ）、および１本の電源端子（Ｖｃｃ）が配列されている。
【００３１】
図１に示すコンピュータ１０は、図５、表２に示すピン配置の画像送信ポートを備え、その画像送信ポートからプリンタ２０に向けて画像データを送信する画像送信装置の一例に相当する。
【００３２】
次に、クロストークノイズについて、図４、表１に示す比較例としてのピン配置と、図５、表２に示す本実施形態のピン配置とを比較する。
【００３３】
図６は、図４、表１に示す比較例における、差動信号送信用又は差動信号送受信用のペアのピンと、補助ピンとの間の距離を示した図である。この図６に示す通り、ピン番号１０，１２のペアとピン番号１３との間の距離をＡ、ピン番号１０，１２のペアとピン番号１４との間の距離をＢとする。このとき、ピン番号１５、１７とピン番号１３，１４，１８，１９の各補助ピンとの間の距離は、それぞれ、Ｂ，Ａ，Ａ，Ｂとなる。これらを合計して、ここでは「３Ａ＋３Ｂ」と表わす。
【００３４】
図７は、図５、表２に示す本実施形態における図６と同様な図である。
【００３５】
ピン番号１３，１４，１５，１６の各補助ピンに関し、ピン番号１０，１２のペアとの間の距離は、それぞれＡ，Ｂ，Ｃ，Ｄと表わすことができる。また、ピン番号１７，１９のペアとの間の距離は、ピン番号１３，１４，１５，１６の各補助ピンに関し、それぞれ、Ｄ，Ｃ，Ａ，Ｂと表わすことができる。これらを合計すると、「２Ａ＋２Ｂ＋２Ｃ＋２Ｄ」となる。
【００３６】
図６のピン配置（「３Ａ＋３Ｂ」）と図７のピン配置（「２Ａ＋２Ｂ＋２Ｃ＋２Ｄ」）とを比較すると、距離Ａへのクロストークノイズ１つ分と距離Ｂへのクロストークノイズ１つ分を足し合わせたものよりも、距離Ｃへのクロストークノイズの２倍と距離Ｄへのクロストークノイズの２倍の方が弱ければ、図４、表１の比較例のピン配置よりも図５、表２の本実施形態のピン配置の方が補助ピンへのクロストークノイズの混入が少なく、従って、そのクロストークノイズに起因する、補助ピンからの放射ノイズが低減されることになる。
【００３７】
図８は、各周波数（ＧＨｚ）の差動信号に対する、各距離Ａ，Ｃ，Ｄにある補助ピンに混入するクロストークノイズのパワーの測定結果を示した図である。
【００３８】
ピン配置上の問題で距離Ｂの補助ピンに関してのクロストークノイズのパワーは測定されていない。
【００３９】
しかしながら、この図８から、０．５ＧＨｚ〜１．５ＧＨｚの帯域では、距離Ａにある補助ピン１本に混入するクロストークのパワーの方が、距離Ｃにある補助ピン２本分および距離Ｄにある補助ピン２本分に混入するクロストークのパワーの合計よりも強い。つまりこれは、距離Ｂにある補助ピンへのクロストークの混入が仮に皆無であると仮定しても、０．５ＧＨｚ〜１．５ＧＨｚの帯域では本実施形態のピン配置の方がクロストークノイズが減少し、したがって補助ピンからの放射ノイズも減少することが分かる。
【００４０】
ここでは前述の通り、最高周波数２．１２５ＧＨｚを想起しているが、その場合最高周波数（２．１２５ＧＨｚ）で使われることは少なく、ほとんどの場合は０．５ＧＨｚ〜１．５ＧＨｚの帯域にとどまる。距離Ｂにある補助ピンへのクロストークノイズの混入を考慮すれば、さらに広い周波数帯域で本実施形態の方がクロストークノイズが低減する。
【００４１】
図９は、図１に示すプリンタに備えられた画像受信ポートのピン配置を示した図である。
【００４２】
また、表３は、図９に示す画像受信ポートのピン配置の一覧表である。
【００４３】
【表３】
2015015253.tif 000005
【００４４】
図９および表３は、概括的に言うと、図５、表２の画像送信ポートのピン配置における「送信」を「受信」に置き換えたものに相当する。
【００４５】
すなわち、この画像受信ポートの、奇数番号のピンが配列された第１の配列面４１１（図３参照）には、第１端（右側）から第２端（左側）に向かって順に、差動信号受信用の２本の端子（受信４−と受信４＋）、１本のグランド端子（ＧＮＤ）、差動信号受信用の２本の端子（受信２−と受信２＋）、１本のグランド端子（ＧＮＤ）、各々が単独で使用される２本の端子（２本の補助ピン）、および差動信号送受信用の２本の端子（送受信＋と送受信−）からなる１０本の端子が配列されている。尚、画像送信ポートの場合に倣い、差動信号送受信用の２本の端子（送受信＋と送受信−）に代えて差動信号送信用の２本の端子（送信＋と送信−）を備えてもよい。
【００４６】
また、偶数番号のピンが配列された第２の配列面４１２（図３参照）には、第１端（握側）から第２端（左側）に向かって順に、１本のグランド端子（ＧＮＤ）、差動信号受信用の２本の端子（受信３−と受信３＋）、１本のグランド端子（ＧＮＤ）、差動信号受信用の２本の端子（受信１−と受信１＋）、各々が単独で使用される２本の端子（２本の補助ピン）、１本のグランド端子（ＧＮＤ）、および１本の電源端子（Ｖｃｃ）からなる１０本の端子が配列されている。
【００４７】
この画像受信ポートのピン配置に関しても、上述の画像送信ポートのピン配置と同じ議論が成立する。すなわち、図４、表１は画像送信側のポートであるが、これに対応する、従来のディスプレイポートの画像受信側の接続ポートのピン配置よりも、本実施形態の方がクロストークノイズを低減させ、補助ピンからの放射ノイズを低減させることができる。
【００４８】
この図９、表３のピン配置を持った画像受信ポートは、本発明にいう画像受信ポートの一例に相当し、その画像受信ポートを備えたプリンタ２０（図１参照）は、本発明にいう画像受信装置の一例に相当する。
【符号の説明】
【００４９】
１０    コンピュータ
２０    プリンタ
３０    ケーブル
３１    プラグ
４０    接続ポート
４１    基板
４２ｏ    奇数番号のピン
４２ｅ    偶数番号のピン
４１１    第１の配列面
４１２    第２の配列面
【図１】
2015015253.tif 000006
【図２】
2015015253.tif 000007
【図３】
2015015253.tif 000008
【図４】
2015015253.tif 000009
【図５】
2015015253.tif 000010
【図６】
2015015253.tif 000011
【図７】
2015015253.tif 000012
【図８】
2015015253.tif 000013
【図９】
2015015253.tif 000014